(57)【要約】【課題】  会議中やテスト中にアラームが鳴動することを防止する。【解決手段】  アラームの鳴動を禁止する時間帯を予め設定しておき、制御回路は、その時間帯になったと判定すると、電源オフ状態か否かを判定し（Ｓ２ステップ）、電源オフ状態でアラーム時刻になったと判定すると（Ｓ３ステップ）、アラームの鳴動を禁止し（Ｓ４ステップ）、電源オン状態でアラームの鳴動時刻になったと判定すると（Ｓ５ステップ）、アラームの鳴動を禁止し（Ｓ６ステップ）、更に着信があったと判定すると（Ｓ７ステップ）、バイブレータで着信を報知する（Ｓ８ステップ）。【選択図】  図２
2008104045.tif 000002
【特許請求の範囲】
【請求項１】
アラーム音を鳴動開始する時刻と、アラーム音の鳴動を禁止する時間帯を設定可能であり、
前記アラーム音を鳴動開始する時刻となっても、その時刻が前記アラーム音の鳴動を禁止する時間帯に含まれていれば、前記アラーム音の鳴動を禁止することを特徴とする電話装置。
【請求項２】
請求項１記載の電話装置であり、前記アラーム音の鳴動を禁止する時間帯に着信があると、着信音の鳴動を禁止することを特徴とする電話装置。
【請求項３】
請求項１又は２記載の電話装置であり、前記アラーム音の鳴動を禁止する時間帯に着信があると、バイブレータで着信を報知することを特徴とする電話装置。
【請求項４】
アラーム音を鳴動開始する時刻と、アラーム音の鳴動を禁止する時間帯を設定可能であり、
前記アラーム音を鳴動開始する時刻となった際に、その時刻が前記アラーム音の鳴動を禁止する時間帯に含まれていると共に電話装置が電源オフ状態であると、自動的に電源オフ状態から電源オン状態になることを禁止することを特徴とする電話装置。
【請求項５】
アラーム音を鳴動する鳴動手段と、アラーム音の鳴動開始時刻を設定する鳴動時刻設定手段と、前記アラーム音の鳴動を禁止する時間帯を設定する鳴動禁止時間帯設定手段と、当該鳴動禁止時間帯設定手段により設定された時間帯で、前記鳴動時刻設定手段により設定された時刻になっても、アラーム音の鳴動を禁止するように制御する制御手段と、を有することを特徴とする電話装置。
【請求項６】
請求項５に記載の電話装置であり、
更に着信を検出する着信検出手段と、着信音を鳴動する着信音鳴動手段を有し、
前記制御手段は、前記鳴動禁止時間帯設定手段により設定された時間帯に前記着信検出手段が着信を検出しても、前記着信音鳴動手段により着信音が鳴動されることを禁止することを特徴とする電話装置。
【請求項７】
請求項５又は７に記載の電話装置であり、
更にバイブレータを有し、
前記制御手段は、前記鳴動禁止時間帯設定手段により設定された時間帯に前記着信検出手段が着信を検出すると、前記バイブレータを振動させることにより着信を報知することを特徴とする電話装置。
【請求項８】
自動的に電源オフ状態から電源オン状態になると共にアラーム音を鳴動する鳴動手段と、アラーム音の鳴動開始時刻を設定する鳴動時刻設定手段と、前記アラーム音の鳴動を禁止する時間帯を設定する鳴動禁止時間帯設定手段と、
電源オフの状態で、前記鳴動禁止時間帯設定手段により設定された時間帯で、前記鳴動時刻設定手段により設定された時刻になっても、自動的に電源オフ状態から電源オン状態になることを禁止すると共にアラーム音の鳴動を禁止するように制御する制御手段と、を有することを特徴とする電話装置。
【発明の詳細な説明】
【技術分野】
【０００１】
本発明は、電話装置に関する。
【背景技術】
【０００２】
通常の携帯電話装置では、アラーム機能を有している。このアラーム機能は、ユーザがアラームの鳴動開始時刻を設定すると、携帯電話装置が電源オフの状態でも強制的に電源オンにし、アラームを鳴動させるというものである。
【０００３】
又、特許文献１には、簡単な操作で自動電源オン機能を解除する技術が開示されている。
【特許文献１】特開２００１−２９８５２９号公報
【発明の開示】
【発明が解決しようとする課題】
【０００４】
このように、アラーム機能は目覚まし時計代わりに使用できる為非常に便利であるが、誤って職場や学校にいる時間帯にアラームが鳴るように設定していれば、周りの人に迷惑がかかる場合がある。
【課題を解決するための手段】
【０００５】
本願発明は、このような課題を解決する為のものであり、請求項１記載の電話装置は、アラーム音を鳴動開始する時刻と、アラーム音の鳴動を禁止する時間帯を設定可能であり、前記アラーム音を鳴動開始する時刻となっても、その時刻が前記アラーム音の鳴動を禁止する時間帯に含まれていれば、前記アラーム音の鳴動を禁止することを特徴とする。
請求項２記載の電話装置は、請求項１記載の電話装置であり、前記アラーム音の鳴動を禁止する時間帯に着信があると、着信音の鳴動を禁止することを特徴とする。
請求項３記載の電話装置は、請求項１又は２記載の電話装置であり、前記アラーム音の鳴動を禁止する時間帯に着信があると、バイブレータで着信を報知することを特徴とする。
請求項４記載の電話装置は、アラーム音を鳴動開始する時刻と、アラーム音の鳴動を禁止する時間帯を設定可能であり、前記アラーム音を鳴動開始する時刻となった際に、その時刻が前記アラーム音の鳴動を禁止する時間帯に含まれていると共に電話装置が電源オフ状態であると、自動的に電源オフ状態から電源オン状態になることを禁止すると共に前記アラーム音の鳴動を禁止することを特徴とする。
請求項５に記載の電話装置は、アラーム音を鳴動する鳴動手段と、アラーム音の鳴動開始時刻を設定する鳴動時刻設定手段と、前記アラーム音の鳴動を禁止する時間帯を設定する鳴動禁止時間帯設定手段と、当該鳴動禁止時間帯設定手段により設定された時間帯で、前記鳴動時刻設定手段により設定された時刻になっても、アラーム音の鳴動を禁止するように制御する制御手段と、を有することを特徴とする電話装置。
請求項６に記載の電話装置は、請求項５に記載の電話装置であり、更に着信を検出する着信検出手段と、着信音を鳴動する着信音鳴動手段を有し、前記制御手段は、前記鳴動禁止時間帯設定手段により設定された時間帯に前記着信検出手段が着信を検出しても、前記着信音鳴動手段により着信音が鳴動されることを禁止することを特徴とする。
請求項７に記載の電話装置は、請求項５又は７に記載の電話装置であり、更にバイブレータを有し、前記制御手段は、前記鳴動禁止時間帯設定手段により設定された時間帯に前記着信検出手段が着信を検出すると、前記バイブレータを振動させることにより着信を報知することを特徴とする。
請求項８に記載の電話装置は、自動的に電源オフ状態から電源オン状態になると共にアラーム音を鳴動する鳴動手段と、アラーム音の鳴動開始時刻を設定する鳴動時刻設定手段と、前記アラーム音の鳴動を禁止する時間帯を設定する鳴動禁止時間帯設定手段と、電源オフの状態で、前記鳴動禁止時間帯設定手段により設定された時間帯で、前記鳴動時刻設定手段により設定された時刻になっても、自動的に電源オフ状態から電源オン状態になることを禁止すると共にアラーム音の鳴動を禁止するように制御する制御手段と、を有することを特徴とする。
【発明の効果】
【０００６】
請求項１及び５に記載の電話装置によれば、アラーム音の鳴動を禁止する時間帯にはアラーム音を鳴動させない為、ユーザがアラーム音の鳴動をオフするように設定することを忘れていても、会議中や試験中等で突然アラーム音が鳴動することを防止することができる。
【０００７】
請求項２及び６に記載の電話装置によれば、アラーム音の鳴動を禁止する時間帯には着信音の鳴動を禁止する為、会議中や試験中等で突然着信音が鳴動することを防止することができる。
【０００８】
請求項３及び７に記載の電話装置によれば、アラーム音の鳴動を禁止する時間帯にはバイブレータで着信を報知する為、会議中や試験中等で突然着信音が鳴動することを防止することができるだけでなく、ユーザに着信があることを報知することが可能である。
【０００９】
請求項４及び８に記載の電話装置によれば、アラーム音の鳴動を禁止する時間帯には電源オフ状態から電源オン状態にならない為、ユーザがアラーム音の鳴動をオフするように設定することを忘れていても、会議中や試験中等で突然アラーム音が鳴動することを防止することができる。
【発明を実施するための最良の形態】
【００１０】
次に、本発明の一実施形態に係る通信装置（携帯電話装置）について、図面を参照して説明する。
【００１１】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１２】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１３】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１４】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１５】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１６】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１７】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００１８】
また、制御回路３６には、入力部４４が接続されている。この入力部４４は、図示していないが、テンキー、通話キー、切キー、カーソル移動等に用いられる十字キー、決定キー、クリアキー等を有している。
【００１９】
ＲＡＭ４０には、アラームを鳴動開始する時刻とアラーム音とが対で複数格納されている。又、アラーム音を所定時刻に鳴動するか否かは、ユーザの設定によりオンオフ設定することが可能である。更に、ＲＡＭ４０には、アラーム音を鳴動させない時間帯の情報が格納され、この情報はユーザのキー操作により設定可能である。このアラーム音を鳴動させない時間帯が格納されている際には、たとえアラーム音を鳴動させる所定時刻になっても、アラーム音を鳴動させない時間帯であれば、アラーム音が鳴動されない。
【００２０】
次に、本実施例装置の動作について、図２を用いて説明する。図２は本実施例装置の動作を示すフロー図である。
【００２１】
先ず、図２のフロー図の動作に入る前に、ユーザが入力部４４をキー操作することにより、アラーム音を鳴動する時刻（例えば午前１０時）を設定すると共に、アラーム音を鳴動させない時間帯（例えば、午前８時〜午後５時まで）を設定したとする。
【００２２】
この設定が終了した後に、図２の動作を実行する。
【００２３】
まず、図２のＳ１ステップでは、制御回路３６は、現在時刻が、ＲＡＭ４０に格納されているアラーム音を鳴動させない時間帯であると判定すると、Ｓ２ステップへ処理を進める。
【００２４】
Ｓ２ステップでは、制御回路３６は、現在電源オフ状態であると判定すると、Ｓ３ステップへ処理を進め、そうでなければＳ５ステップへ処理を進める。
【００２５】
Ｓ３ステップでは、制御回路３６は、現在時刻が、ＲＡＭ４０に格納されているアラームを鳴動開始する時刻になったと判定すると、Ｓ４ステップへ処理を進め、そうでなければＳ９ステップへ処理を進める。
【００２６】
Ｓ４ステップでは、制御回路３６は、電源オフ状態から電源オン状態に自動的になることを禁止すると共に、アラーム音がスピーカ２６から鳴動することを禁止し、Ｓ９ステップへ処理を進める。
【００２７】
Ｓ５ステップでは、制御回路３６は、現在時刻が、ＲＡＭ４０に格納されているアラームを鳴動開始する時刻になったと判定すると、Ｓ６ステップへ処理を進め、そうでなければＳ７ステップへ処理を進める。
【００２８】
Ｓ６ステップでは、制御回路３６は、アラーム音がスピーカ２６から鳴動することを禁止し、Ｓ７ステップへ処理を進める。
【００２９】
Ｓ７ステップでは、制御回路３６は、ベースバンド部１４から着信があることを示す信号を検出すると、着信ありと判定し、Ｓ８ステップへ処理を進め、そうでなければ、Ｓ９ステップへ処理を進める。
【００３０】
Ｓ８ステップでは、制御回路３６は、図示せぬバイブレータを振動させることにより、着信を報知する。尚、この時着信音の鳴動は禁止している。
【００３１】
Ｓ９ステップでは、現在時刻が、ＲＡＭ４０に格納されているアラーム音を鳴動させない時間帯であると判定すると、Ｓ２ステップへ処理を進め、そうでなければ処理を終了する。
【図面の簡単な説明】
【００３２】
【図１】本発明を適用してなる実施例装置のブロック図である。
【図２】本実施例装置の動作を示すフロー図である。
【符号の説明】
【００３３】
１０      携帯電話装置
３６      制御回路
４０      ＲＯＭ
４４      入力部
【図１】
2008104045.tif 000003
【図２】
2008104045.tif 000004